(57)【要約】【課題】設計は合理的で、構造は簡単で、作業効率において従来のクランプ方法に比べてかなり向上する、傾斜面スライド式治具を提供する。【解決手段】傾斜面スライド式治具の特徴は、機械装置の作業台（１）、上クランプブロック（２）、上クランプブロックの傾斜面（３）、上クランプブロック（２）の上平面（４）、上クランプブロック（２）の上平面（４）の中間位置の楕円形穴（５）、上クランプブロック（２）の先端（６）、下クランプブロック（７）、下クランプブロック（７）の傾斜面（８）、下クランプブロック（７）のネジ穴Ａ（９）、下クランプブロック（７）のネジ穴Ｂ（１０）、下クランプブロック（７）のネジ穴Ｃ（１１）、ボルト（１２）を含むことである。【選択図】図１
2020192669.tif 000002
【特許請求の範囲】
【請求項１】
機械装置の作業台（１）において加工品（１３）を固定するために使用される傾斜面スライド式治具であって、
上クランプブロック（２）、上クランプブロック（２）の傾斜面（３）、上クランプブロック（２）の上平面（４）、上クランプブロック（２）の上平面（４）の中間位置の楕円形穴（５）、上クランプブロック（２）の先端（６）、下クランプブロック（７）、下クランプブロック（７）の傾斜面（８）、下クランプブロック（７）のネジ穴Ａ（９）、下クランプブロック（７）のネジ穴Ｂ（１０）、下クランプブロック（７）のネジ穴Ｃ（１１）、ボルト（１２）を含むことを特徴とする傾斜面スライド式治具。
【請求項２】
上クランプブロック（２）の傾斜面（３）と、下クランプブロック（７）の傾斜面（８）とが接触し、ボルト（１２）は上クランプブロック（２）の上平面（４）の中間位置の楕円形穴（５）を通り抜けて、下クランプブロック（７）のネジ穴Ｃ（１１）に嵌合しており、
ボルト（１２）のキャップの寸法は上クランプブロック（２）の上平面（４）の中間位置の楕円形穴（５）のサイズより大きく、上クランプブロック（２）と下クランプブロック（７）がボルト（１２）で固定されて一体化したクランプブロックとなることを特徴とする請求項１記載の傾斜面スライド式治具。
【請求項３】
上クランプブロック（２）の上平面（４）は機械装置の作業台（１）に平行であり、上クランプブロック（２）の先端（６）によって、加工品（１３）を押すことを特徴とする請求項１または請求項２記載の傾斜面スライド式治具。
【請求項４】
下クランプブロック（７）において、ネジ穴Ａ（９）とネジ穴Ｂ（１０）を通したネジにより、下クランプブロック（７）が機械装置の作業台（１）に固定されることを特徴とする請求項１から請求項３までのいずれか１項記載の傾斜面スライド式治具。
【請求項５】
上クランプブロック（２）の傾斜面（３）および下クランプブロック（７）の傾斜面（８）は、機械装置の作業台（１）の作業台面に対して４０°の角度の傾斜面であることを特徴とする請求項１から請求項４までのいずれか１項記載の傾斜面スライド式治具。
【請求項６】
傾斜面スライド式治具は、機械装置の作業台（１）において複数個配置して加工品（１３）を固定することを特徴とする請求項１から請求項５までのいずれか１項記載の傾斜面スライド式治具。
【発明の詳細な説明】
【技術分野】
【０００１】
本発明に記載の傾斜面スライド式治具は、マシニングセンタ、竜門マシニングセンタ、フライス盤、竜門フライス盤、中ぐり盤、竜門中ぐり盤、立式旋盤、ボール盤などの各種の機械設備で使用される所定角度（例えば４０°）側下方から力に入れる冶具を設計し、既存の機械設備で使用されている上下挟み板、サイドクランプ及びその他の似ている冶具を改善する。
【背景技術】
【０００２】
本発明に記載の傾斜面スライド式治具は、マシニングセンタ、竜門マシニングセンタ、フライス盤、竜門フライス盤、竜門中ぐり盤、立式旋盤、ボール盤などの各種の機械設備に使用されている所定角度（例えば４０°）側下方から力に入れる冶具を設計し、既存の機械設備に使用されている上下挟み板、サイドクランプ及び他の似ている治具の技術的な欠陥を補足する。
【０００３】
１  既存の機械設備で使用されている上下板金、サイドクランプ及びその他の似ている冶具は実際の加工作業において複雑で、操作が不便で、上下挟み板の方式はレバレッジバランス原理を採用しており、厚さが違うスペーサーを利用して加工品を固定している。加工中の共振で加工品は横の緩みやシフトを引き起こしやすく、加工品の精度や公差に影響する。同じように、サイドクランプ方式でも加工品を固定すると上下の緩みやシフトが発生しやすく、加工品の精度や公差にも影響する。
【０００４】
２  既存の機械設備で使用されている上下挟み板、サイドクランプ及びその他の似ている治具が上下に締め付けられ、また横に締め付けられると、全方位で上下左右に加工品の固定を強化する必要がある。時間が掛かって製造効率の低下がある。
【０００５】
３  既存の機械設備で使用されている上下挟み板、サイドクランプ及びその他似ている治具は加工中において垂直力クランプで加工された製品の表面を固定しているため、加工品の固定表面が破損する。根本的にこのような欠陥を補うために、加工品が破損または変形しないように、側面から斜めに押す方法で加工品を固定すると、角度制御が増加するため、加工品のクランプ力の制御を調整して、加工品の表面にダメージを与えず、根本的に不良品率を低減している。
【０００６】
その他、既存の機械設備で使用されるクランプ工具の一例として、特許文献１には、工作機械の加工テーブルに加工すべき材料を固定することに用いる無段可変のクランプ工具が提案されている。
【０００７】
上述の既存技術に存在する問題に対して、新しい傾斜面スライド式治具を設計することを検討し、既存技術に存在する問題を解決する必要がある。
【先行技術文献】
【特許文献】
【０００８】
【特許文献１】実開平６−７４２４２号公報
【発明の概要】
【発明が解決しようとする課題】
【０００９】
上記の従来技術には問題が存在することについて、本発明の目的は、従来技術に存在する次の問題を解決するために、新しい傾斜面スライド式治具を検討して設計することである。
【００１０】
１  加工品を上から下までに固定するだけでは、横の緩みやシフトの問題が発生する可能性がある。加工中、サイドクランプに固定するのみでは、上下の緩みやシフトの問題が発生する可能性がある。
【００１１】
２  加工品を固定する規律が一定でなく、そして、作業工程が煩雑で、手間がかかり、生産効率が低くなる。
【００１２】
３  上から下まで固定する場合、及び横から固定する場合、加工品はまっすぐ固められ、加工品の表面に損傷を与えやすく、不良品の発生率が高くなる。
【課題を解決するための手段】
【００１３】
本発明の技術解決対策は、次のように実現される。
【００１４】
本発明の傾斜面スライド式治具は、機械装置の作業台、上クランプブロック、上クランプブロックの傾斜面、上クランプブロックの上平面、上クランプブロックの上平面中間位置の楕円形穴、上クランプブロックの先端、下クランプブロック、下クランプブロックの傾斜面、下クランプブロックのネジ穴Ａ、下クランプブロックのネジ穴Ｂ、下クランプブロックのネジ穴Ｃ、ボルトを含むことを特徴とする。
【００１５】
本発明の各セットの独立したクランプブロックは、主に上クランプブロックと下クランプブロックの二つの部分より構成されており、上クランプブロックは所定角度（例えば４０°）の傾斜面を有し、下クランプブロックも上クランプブロックの傾斜面に合わせた所定角度（例えば４０°）の傾斜面を有しており、ボルトは上クランプブロックの上平面の中間位置の楕円形穴を通り抜けて下クランプブロックのネジ穴Ｃに固定されて、ボルトキャップのサイズは上クランプブロックの中間位置の楕円形穴より大きくなって、上クランプブロックと下クランプブロックがボルトで固定され、セットされているクランプブロックになる。
【００１６】
本発明の各セットしている独立したクランプブロックの上平面の中間位置には楕円形穴があり、上クランプブロックのスライドおよび必要な固定をする時にロックして使用する。上クランプブロックの上平面は機械設備の作業台に平行である。
【００１７】
本発明の各セットしている独立したクランプブロックの先端は平面になり、加工品を固定するために平面は加工品につけて、上クランプブロックの先端が加工品に力を入れる。
【００１８】
本発明の各セットしている独立したクランプブロックの下クランプはネジ穴が三つある。これは、ネジ穴Ａ、ネジ穴Ｂ、ネジ穴Ｃである。ネジ穴Ａとネジ穴Ｂは、下クランプブロックを機械装置の作業台に固定される。ボルトは、上クランプブロックの上平面の中間位置の楕円形穴を通り抜けて、下クランプブロックのネジ穴Ｃに固定される。
【００１９】
本発明の上クランプブロックと下クランプブロックは機械装置の作業台面に対して所定角度（例えば４０°）で接触している。この４０°の角度が本発明の最適な角度になり、全てテストによって角度において４０°が最適な角度になり、締付力が最も優れていた。また、ほかの角度も本発明の設計によって請求範囲に含まれ、例えば２０°〜６０°の範囲が好ましく、３０°〜５０°の範囲がより好ましく、３５°〜４５°の範囲がさらに好ましい。
【００２０】
本発明を使用する場合、以下の手順による。
１  まず、使用者は、実際の加工品の形態や構造などに応じて、必要ないくつかのクランプブロックを選別する。
【００２１】
２  本発明の傾斜面スライド式治具を使用して、まず、機械装置の作業台の該当位置に加工品を固定し、加工品の位置によって、下クランプブロックのネジ穴Ａとネジ穴Ｂを通して、いくつかの独立したクランプブロックの第一セットのクランプブロックの下クランプブロックを機械装置の作業台に固定する。それぞれの独立したクランプブロックの上平面の中間位置に楕円形の穴があり、上クランプブロックの上平面は機械装置の作業台と平行である。
【００２２】
上クランプブロックと下クランプブロックの接触面は、機械装置の作業台に対して４０°の角度になっている。ボルトは上クランプブロックの平面中間位置の楕円形穴を通り抜けて下クランプブロックのネジ穴Ｃに嵌合され、それぞれの独立したクランプブロックの上クランプブロックは機械装置の作業台と４０°の角度の傾斜面側からスライドして、上クランプブロックの先端が加工品を押した後に、ネジ穴Ｃに嵌合されたボルトが回される。
【００２３】
ネジ穴Ｃのボルトは、上クランプブロックの上平面の中間位置の楕円形穴の中にあり、ボルトキャップのサイズは上クランプブロックの上平面の中間位置の楕円形穴のサイズより大きくなり、ボルトキャップは上クランプブロックの上平面に力を入れて、上クランプブロックと下クランプブロックが互いに押し出されるため、上クランプおよび下クランプの接触面は機械装置の作業台に４０°の角度になって、力を入れてから上クランプブロックは機械装置の作業台の４０°の角度の方向にスライドして、最後に上クランプブロックの先端から加工品に力を伝達する。
【００２４】
上クランプブロックと加工品が緊密に接触して、変位が発生しない場合に、ボルトを引き続いて回して、加工品に押す上クランプブロックの先端圧力が増大して、加工品をしっかりと挟み、加工品が上下に移動できなくなる。同時に横に移動することもできなくなり、上手に加工工事ができる。
【００２５】
３  いくつかの独立したクランプブロック（それぞれのクランプブロックを本発明の傾斜面スライド式治具と呼べる）を上記の方法で機械装置の作業台に固定すると、本発明の傾斜面スライド式治具は、加工品をしっかりと挟み固め、加工品を上下に移動させることができず、横に移動することもできなくなり、上手に加工工事ができる。
【発明の効果】
【００２６】
本発明の利点は明らかになり、主に次のように示される。
【００２７】
１  本発明の設計は合理的で、構造は簡単で、スライドクランプで加工品を固定すれば、まず、作業効率において従来のクランプ方法に比べてかなり向上し、簡単操作で加工品に対して上下、左右の各方向にクランプ力が作用し、迅速に正しく固定できる。
【００２８】
２  本発明は、独立したクランプブロック（傾斜面スライド式治具）を複数個使い、さまざまな仕様の加工品の固定に適用できる。
【００２９】
３  本発明のクランプブロックの４０°傾斜面は、長時間のテストを経て得られた結論であり、４０°傾斜面はクランプ力の最適な傾斜面である。傾斜面を４０°とすることで、傾斜面の角度が小さすぎるような場合に、クランプ力が徐々に減少し、加工作業時に加工品が緩みやすくなることを防止でき、傾斜面の角度が大きすぎるような場合に、クランプ力が徐々に増大し、クランプ先端が加工品の表面の挟み傷や変形をもたらしやすくなることを防止できる。
【００３０】
４  本発明は更に設計が合理的で、構造が目新しく、操作が便利などの長所を持っている。機械加工業に多く使用でき、機械加工業界に積極的な社会効果と著しい経済効果をもたらすことが期待できる。
【図面の簡単な説明】
【００３１】
【図１】本発明の構成図である。
【図２】図１の平面図である。
【図３】クランプブロックの側面図である。
【図４】実際の応用図である。
【発明を実施するための形態】
【００３２】
本発明の傾斜面スライド式治具は、従来の機械装置で使用されている様々な治具の代わりに、４０°傾斜面側の下方に沿って力を加える治具である。いくつかのセットの独立したクランプブロック（傾斜面スライド式治具）から構成される。各セットの独立したクランプブロックは、主に上クランプブロックと下クランプブロックの二つの部分に分けられている。上クランプブロックと下クランプブロックは、ボルトによって連結されている。上、下クランプブロックに接触した二つの平面は機械設備の作業台に４０°の挟み角をなして、傾斜面を形成する。作業時、加工品の形態寸法によって、下クランプブロックを機械設備の作業台に固定する。位置を機械設備の作業台に４０°の挟み角を持つ斜面に沿って、上クランプブロックの先端が加工品に接触するまで、上クランプブロックのネジ穴Ｃに付いているボルトを回転させて加工ワークの力加減を調整する。上述したように、加工品が上下左右に移動できなくなり、加工作業が可能となる。
【００３３】
本発明の具体的な実施方法は、図面に示すように、機械装置の作業台（１）、上クランプブロック（２）、上クランプブロック（２）の４０°の傾斜面（３）、上クランプブロック（２）の上平面（４）、上クランプブロック（２）の上平面（４）の中間位置の楕円形穴（５）、上クランプブロック（２）の先端（６）、下クランプブロック（７）、下クランプブロック（７）の４０°の傾斜面（８）、下クランプブロック（７）のネジ穴Ａ（９）、下クランプブロック（７）のネジ穴Ｂ（１０）、下クランプブロック（７）のネジ穴Ｃ（１１）、ボルト（１２）を含むことを特徴とする。
【００３４】
いくつかのセットの独立したクランプブロックより組み立てて、２セットのクランプブロックが組み立てできるし、３セットのクランプブロックが組み立てできるし、４セットのクランプブロックが組み立てできるし、５セットのクランプブロックなどが組み立てできる。
【００３５】
各セットの独立したクランプブロックは、主に上クランプブロック（２）と下クランプブロック（７）の２つの部分から構成され、上クランプブロック（２）は４０°の傾斜面（３）を有し、下クランプブロック（７）は４０°の傾斜面（８）を有する。
【００３６】
加工品を機械設備の作業台（１）の該当位置に固定して、加工品（１３）の位置に応じて、下クランプブロック（２）のネジ穴Ａ（９）とネジ穴Ｂ（１０）を通すネジを用い、いくつかの独立した下クランプブロック（７）を機械設備の作業台（１）に固定する。それぞれの独立した上クランプブロック（２）の上平面（４）の中間位置には楕円形穴（５）があり、上クランプブロック（２）の上平面（４）は機械設備の作業台（１）と平行である。上クランプブロック（２）と下クランプブロック（７）の接触面は４０°傾斜面であり、ボルト（１２）は、上クランプブロック（２）の上平面（４）の中間位置の楕円形穴（５）を通り抜けて下クランプブロック（７）のネジ穴Ｃ（１１）にヒンジする、
【００３７】
各クランプブロックの上クランプブロック（２）の傾斜面（３）は下クランプブロック（７）の傾斜面（８）側にスライドし、上クランプブロック（２）の先端（６）が加工品（１３）を押した後に、下クランプブロック（７）のネジ穴Ｃ（１１）のボルト（１２）を回転させる。ボルト（１２）は、上クランプブロック（２）の上平面（４）の中間位置の楕円形穴（５）内にあり、ボルト（１２）のキャップのサイズは上クランプブロック（２）の上平面（４）の中間位置の楕円形穴（５）のサイズより大きく、ボルト（１２）のキャップは、上クランプブロック（２）の上平面（４）に力を入れて、上クランプブロック（２）と下クランプブロック（７）が相互に押し出される。
【００３８】
上クランプブロック（２）と下クランプブロック（７）の接触面は４０°傾斜面であり、４０°傾斜面と上クランプブロック（２）の上平面（４）は夾角になり、したがって、力を入れると、上クランプブロック（２）は、４０°傾斜面（３）の方向側に沿って下方向にスライドし、最後に、上クランプブロック（２）の先端（６）から加工品（１３）に力を入れて、下クランプブロック（７）のネジ穴Ｃ（１１）にヒンジされたボルト（１２）を回転させることにより、上クランプブロック（２）と下クランプブロック（７）の圧力を増加させる。上記したように、加工品（１３）に押し付けられた上クランプブロック（２）の先端（６）の圧力が増大すると、加工品（１３）をしっかり挟み固め、加工品（１３）を上下へ移動させることができず、横へ移動することもできなくなり、上手に加工をすることができる。
【００３９】
それぞれの独立したクランプブロックの下クランプブロック（７）は、３つのタップ穴を有し、これらは、ネジ穴Ａ（９）とネジ穴Ｂ（１０）とネジ穴Ｃ（１１）である。ネジ穴Ａ（９）とネジ穴Ｂ（１０）は、下クランプブロック（７）を機械設備の作業台（１）に固定し、ボルト（１２）は、上クランプブロック（２）の上平面（４）の中間位置の楕円形穴（５）を通り抜けて、下クランプブロック（７）のネジ穴Ｃ（１１）に締結される。
【産業上の利用可能性】
【００４０】
本発明は設計が合理的で、操作が便利などの長所を持っており、機械加工業界に積極的な社会効果と著しい経済効果をもたらすことが期待できる。
【符号の説明】
【００４１】
１  機械装置の作業台
２  上クランプブロック
３  上クランプブロック（２）の傾斜面
４  上クランプブロック（２）の上平面
５  上クランプブロック（２）の上平面（４）の中間位置の楕円形穴
６  上クランプブロック（２）の先端
７  下クランプブロック
８  下クランプブロック（７）の傾斜面
９  下クランプブロック（７）のネジ穴Ａ
１０  下クランプブロック（７）のネジ穴Ｂ
１１  下クランプブロック（７）のネジ穴Ｃ
１２  ボルト
１３  加工品
【図１】
2020192669.tif 000003
【図２】
2020192669.tif 000004
【図３】
2020192669.tif 000005
【図４】
2020192669.tif 000006